(57)【特許請求の範囲】
【請求項１】
水素水化学システム注入により原子炉のオフガスシステムの水素濃度を制御する方法であって、
水素水化学システムを介して、オフガスシステムの既存のオフガス管路に周囲空気を受動的に注入するステップと、
酸素注入装置により前記オフガス管路に酸素を注入するステップと、
を含み、
前記オフガス管路は、水素と酸素とその他の非凝縮性ガスとを含有するガスを復水器（１０２）から再結合器（１０４）に送るように構成され、
前記再結合器（１０４）は、水素を酸素と反応させて水蒸気を発生させるように構成され、
前記周囲空気は、前記酸素注入装置が故障した場合に受動的に注入される
ことを特徴とする、方法。
【請求項２】
前記周囲空気は、前記再結合器（１０４）よりも上流のポイントで前記オフガス管路に受動的に注入される、請求項１に記載の方法。
【請求項３】
前記周囲空気は、自動弁を開弁し、前記オフガスシステムがもたらす真空によって前記周囲空気が前記オフガス管路に引き込まれることにより、受動的に注入される、請求項１または２に記載の方法。
【請求項４】
前記自動弁は、ソレノイド弁（３０４）を介して制御される空気動作式遮断弁（３０２）である、請求項３に記載の方法。
【請求項５】
前記自動弁は、ソレノイド弁（３０４）である、請求項３に記載の方法。
【請求項６】
前記周囲空気は、臨界流オリフィス（３０７）を用いて前記オフガス管路に所望の流量で受動的に注入される、請求項１から５のいずれかに記載の方法。
【請求項７】
前記周囲空気は、流量計と流量制御弁を用いて前記オフガス管路に所望の流量で受動的に注入される、請求項１から５のいずれかに記載の方法。
【請求項８】
前記オフガス管路への注入前に前記周囲空気を濾過するステップを更に含む、請求項１から７のいずれかに記載の方法。
【発明の詳細な説明】
【技術分野】
【０００１】
本発明の実施例は、原子炉のオフガスシステムの水素濃度を制御する方法に関する。
【背景技術】
【０００２】
原子炉（例えば沸騰水型原子炉（ＢＷＲ））は、一般に、水の放射線分解により生じる酸素に起因する腐食をきたす。例えば、再循環管及び原子炉内部は、粒界型応力腐食割れ（ＩＧＳＣＣ）をきたすことがある。そこで、水素水化学（ＨＷＣ）システムで、復水／給水システムに水素を注入して、再循環管及び原子炉内部の溶存酸素量を低下させる。
【０００３】
しかし、復水／給水に水素を注入すると、オフガス中の水素対酸素の正常比率２：１から水素の比率が増大する可能性がある。この増加の結果、水素の添加量と復水器の空気漏れ込み量とによっては、再結合器出口のオフガスが水素過多になる可能性がある。このような危険を伴う状況を阻止するために、追加の酸素がオフガスシステム内に注入される。従来、追加の酸素は、圧縮空気又は純圧縮酸素を適当な供給源から流すことにより供給される。追加の酸素の適正量は、水素注入量と空気漏れ込み量を基に判断され、水素水化学（ＨＷＣ）システムにより制御される。
【発明の概要】
【課題を解決するための手段】
【０００４】
水素水化学システム注入により原子炉のオフガスシステムの水素濃度を制御する方法は、水素水化学システムを介してオフガスシステムの既存のオフガス管路に周囲空気を受動的に注入するステップを含む。オフガス管路は、水素、酸素及びその他の非凝縮性ガスを含有するガスを復水器から再結合器に送るように構成される。再結合器は、水素を酸素と反応させて水蒸気を発生させるように構成される。
【０００５】
本発明の非限定的な実施例に従った原子炉の水素水化学システムの空気をオフガスシステムに受動的に注入する方法は、空気注入管路をオフガスシステムの既存のオフガス管路に動作的に結合させるステップを含む。オフガス管路は、水素、酸素及びその他の非凝縮性ガスを含有するオフガスを復水器から再結合器に送るように構成される。空気注入管路は、再結合器よりも上流のポイントでオフガス管路に周囲空気を受動的に導入して混合流を形成するように構成される。この方法は、更に、再結合器から流出するオフガス流中の水素及び酸素の少なくとも一方の濃度を測定するステップを含む。主空気源として用いる場合、この方法は更に、水素水化学システムが動作中ときは常に注入信号を発するステップを含む。予備酸素源として用いる場合、この方法は更に、測定酸素濃度が所定の酸素値よりも低い限り、又は測定水素濃度が所定の水素値を超える限りは、注入信号を発するステップを含む。この方法は、更に、注入信号に応答して弁を自動的に開くことにより、周囲空気を酸素源としてオフガス管路に受動的に導入するステップを含む。周囲空気は、オフガスシステムがもたらす真空によってオフガス管路に引き込まれる。混合流中の酸素及び水素は、再結合器内で反応して水蒸気を発生させる。
【０００６】
添付図面に関連した詳細な説明の検討により、本明細書に記載の非限定的な実施形態の多様な特徴及び利点の理解が深まるであろう。添付図面は、あくまでも例示目的において提供されたものであって、特許請求の範囲を限定するものと解釈されるべきではない。添付図面は、特に明記しない限り、縮尺通りに描画されていると解釈されるべきではない。説明の便宜上、図面において様々な寸法が実際のものよりも拡大されていることがある。
【図面の簡単な説明】
【０００７】
【図１】本発明の実施例による、受動的空気注入を予備酸素源として用いる水素水化学システムの概略図である。
【図２】本発明の実施例による、受動的空気注入を主酸素源として用いる水素水化学システムの概略図である。
【図３】本発明の実施例による受動的空気注入モジュールの線図である。
【図４】本発明の実施例による受動的空気注入モジュールのレイアウト図である。
【発明を実施するための形態】
【０００８】
その他の要素又は層が「〜の上に」「〜に結合された」「〜に接続された」又は「〜を覆う」のように記載されている場合、直接的に当該要素又は層「の上に」「に結合された」「に接続された」又は「を覆う」こともあれば、当該要素又は層との間に要素又は層が介在する場合もあることを理解されたい。一方、その他の要素又は層「の上に直接」「に直接結合された」「に直接接続された」又は「を直接覆う」のように記載されている場合、当該要素又は層との間に要素又は層は全く介在していない。本明細書を通じて、対応する要素を同様の符号で示す。ここで使用する「及び／又は」という表現は、関連する列挙事項のうち１つ以上のいずれをも、また、全ての組み合わせをも含むことを意味する。
【０００９】
ここで使用する「第１」「第２」「第３」などの表現は、多様な要素、部品、領域、層、及び／又は区画を説明するためのものであり、これらの要素、部品、領域、層、及び／又は区画をこれらの表現により限定するものではないことを理解されたい。これらの表現は、あくまでも要素、部品、領域、層、又は区画どうしを区別するために用いられている。したがって、以下で検討する第１の要素、部品、領域、層、又は区画を、実施例の教示内容から逸脱することなく、第２の要素、部品、領域、層、又は区画として説明することもできる。
【００１０】
ここでは、空間的な関係を示す表現（「直下」「下方」「よりも低い」「上方」「よりも高い」など）を、図示されている或る要素又は特徴とその他の要素又は特徴との関係をわかり易く説明するために使用することがある。このような空間的な関係を示す表現は、図示の装置が、図示されている方向に加え、使用又は操作時に異なる方向を向いている場合も包含することを意図している。例えば、図示の装置が回転すると、その他の要素又は特徴の「下方」又は「直下」に示されている要素は、その他の要素又は特徴の「上方」になる。したがって、「下方」という表現には、上方及び下方の両方の意味が含まれる。この装置の向きはその他の方向（９０度回転又はその他の方向）であってもよく、ここでの空間的な関係を示す表現はそのように解釈される。
【００１１】
ここで使用する用語は、あくまでも多様な実施形態を説明する目的によるものであって、実施例を限定することを意図したものではない。ここで使用する単数名詞にも同様に、文脈上特に明示しない限り、複数名詞の意味も含むことを意図している。更に、本明細書で使用する「有する」及び／又は「含む」等の表現は、記載した特徴、整数、ステップ、操作、要素、及び／又は部品が存在することを明示するものであって、その他の特徴、整数、ステップ、操作、要素、部品、及び／又はこれらの組み合わせが存在すること又はこれらを１つ以上追加する可能性を除外するものではない。
【００１２】
ここでは、その中でも理想的な実施形態（及び中間構造）を概略的に示す断面図を参照しながら、実施例を説明する。これによって、図示の形状に対して、例えば製造技術及び／又は許容誤差等の改変形態が想到可能である。実施例は、ここで図示する領域の形状に限定されることなく、例えば製造の結果生じる形状の誤差等も含むものと理解されたい。したがって、添付図面に示す領域は、あくまでも概略的なものなので、装置の或る領域の実際の形状を示すものではないと同時に、実施例の技術的範囲を限定することを意図したものではない。
【００１３】
特に明記しない限り、ここでの全ての表現は（技術的及び科学的な表現も含めて）、実施例が属する技術分野の通常の知識を有する者が一般的に解釈する意味と同様の意味を有している。更に、これらの表現は、一般的に使用される辞書での定義も含めて、関連技術分野における意味と同様に解釈されるべきであって、特に明記しない限り、理想的又は過剰に形式的な意味に解釈されるべきではない。
【００１４】
本発明の実施例は、水素水化学システム注入により原子炉のオフガスシステムの水素濃度を制御する方法に関する。この方法は、水素水化学システムを介してオフガスシステムの既存のオフガス管路に周囲空気を受動的に注入するステップを含む。オフガス管路は、水素、酸素及びその他の非凝縮性ガスを含有するガスを復水器から再結合器に送るように構成される。再結合器は、水素を酸素と反応させて水蒸気を発生させるように構成される。
【００１５】
周囲空気は、再結合器よりも上流のポイントにおいてオフガス管路に受動的に注入される。周囲空気は、オフガス管路への注入前に濾過される。周囲空気は、自動弁を開き、オフガスシステムがもたらす真空によって周囲空気がオフガス管路に引き込まれることによって受動的に注入される。自動弁は、ソレノイド弁を介して制御される空気式隔離弁である。代替的に、自動弁は単なるソレノイド弁であってよい。更に、非限定的な実施例において、オフガスシステムがもたらす真空は、蒸気式空気抽出器（ＳＪＡＥ）により生成される。
【００１６】
周囲空気は、臨界流オリフィスを用いてオフガス管路に所望の流量で受動的に注入される。代替的に、周囲空気は、流量計と流量制御弁とを用いてオフガス管路に所望の流量で受動的に注入される。非限定的な実施例において、周囲空気は、水素水化学システムの予備酸素源として受動的に注入される。別の非限定的な実施例では、周囲空気は、水素水化学システムの主酸素源として受動的に注入される。
【００１７】
本発明の非限定的な実施例に従った、原子炉のオフガスシステムに水素水化学システムの空気を受動的に注入する方法は、空気注入管路をオフガスシステムの既存のオフガス管路に動作的に結合させるステップを含む。オフガス管路は、水素、酸素及びその他の非凝縮性ガスを含有するオフガスを凝縮器から再結合器に送るように構成される。空気注入管路は、再結合器よりも上流のポイントにおいてオフガス管路に周囲空気を受動的に導入して混合流を形成するように構成される。この方法は、更に、再結合器から流出するオフガス流中の水素及び酸素の少なくとも一方の濃度を測定するステップを含む。主空気源として用いる場合、この方法は、更に、水素水化学システムの動作時は常に注入信号を発するステップを含む。予備酸素源として用いる場合、この方法は更に、測定酸素濃度が所定の酸素値よりも低い限り、又は測定水素濃度が所定の水素値を超える限り、注入信号を発するステップを含む。この方法は、更に、注入信号に応答して弁を自動的に開いて、周囲空気を酸素源としてオフガス管路に受動的に導入するステップを含む。周囲空気は、オフガスシステムがもたらす真空によりオフガス管路に引き込まれる。混合流中の酸素及び水素は、再結合器内で反応して水蒸気を発生させる。
【００１８】
予備酸素源として用いる場合、この方法は、測定酸素濃度が所定の酸素値を超える限り停止信号を発するステップを更に含んでよい。弁は、停止信号に応答して自動的に閉じられる。弁は、自動隔離弁であってよい。非限定的な実施例において、自動隔離弁は、ソレノイド弁を介して制御される空気動作弁である。代替的に、自動隔離弁は単なるソレノイド弁であってよい。周囲空気は、オフガス管路への導入前に濾過される。周囲空気は、更に、約２１％の酸素を含有する。周囲空気は、臨界流オリフィスを用いてオフガス管路に所望の流量で受動的に注入される。臨界流オリフィスは、周囲空気及びオフガスの圧力に基づいて寸法決めされる。
【００１９】
本発明の実施例に従った原子炉のオフガスシステムの水素濃度の制御は、受動的空気注入モジュールの使用を伴う。受動的空気注入モジュールは、水素水化学（ＨＷＣ）システムの酸素源として周囲空気を用いる。その結果、周囲空気がオフガスシステムに酸素を供給し、これを水素水化学システムにおいて給水に添加される水素と再結合させる。弁トリムと臨界流オリフィスとを適切に寸法決めすることにより、受動的空気注入モジュールで、所望の一定量の空気流をオフガスシステムに供給できる。こうして、受動的空気注入モジュールは、水素水化学システムにおいて主酸素源又は予備酸素源として機能する。
【００２０】
図１は、本発明の実施例による、受動的空気注入を予備酸素源として用いる水素水化学システムの概略図である。図１を参照すると、原子炉容器１００からの蒸気は、タービン／復水器１０２に供給される。このとき、蒸気を用いてタービンが駆動され、発電が行われる。タービンを通過した後に、蒸気は復水器内で復水される。復水は、給水として原子炉容器１００に戻され、非凝縮性ガスは、オフガス管路を経て再結合器１０４に送られる。
【００２１】
原子炉は、一般に、水の放射線分解によって生じる酸素に起因する腐食をきたす。再循環管内、原子炉内部、及び主蒸気中の溶存酸素量を減少させるために、水素注入装置１０６を用いて水素が復水／給水に注入される。しかし、復水／給水中への水素注入により、再結合器１０４から流出するオフガスが水素過多になる可能性がある。この危険を伴う状況を阻止するために、酸素注入装置１０８を用いて酸素がオフガス管路に注入される。ガス供給源１１０は、水素及び酸素をそれぞれ、水素注入装置１０６と酸素注入装置１０８とに供給する。更に、受動的空気注入モジュール１１４が、空気注入管路を経てオフガス管路に動作的に結合される。受動的空気注入モジュール１１４は、酸素注入装置１０８又はガス供給源１１０が万が一故障又はその他誤動作を起こした場合に、予備酸素源として機能する。
【００２２】
再結合器１０４から流出するオフガス流の水素濃度及び／又は酸素濃度は、モニタ１１２を用いて測定される。主制御装置１１６は、モニタ１１２、並びに、水素注入装置１０６、酸素注入装置１０８、ガス供給源１１０、及び受動的空気注入モジュール１１４に接続される。様々な場合において、酸素濃度が低下して所定の酸素値を下回ること、或いは、水素濃度が上昇して所定の水素値を上回ることがある。このような酸素及び／又は水素濃度の変化は、１つ以上の装置（例えば酸素注入装置１０８）の誤動作によって生じ得る。このため、測定酸素濃度が所定の酸素値を下回る限り、且つ／又は測定水素濃度が所定の水素値を上回る限り、或いは、所定の誤動作が起こる限り、注入信号が発せられる。受動的空気注入モジュール１１４の弁が注入信号に応答して自動的に開くことにより、周囲空気が酸素源としてオフガス管路に受動的に導入される。周囲空気は、オフガスシステムがもたらす真空によってオフガス管路に引き込まれることにより、非凝縮性ガスと共に混合流を形成する。混合流中の酸素及び水素は、再結合器１０４で反応して水蒸気を発生させる。
【００２３】
図２は、本発明の実施例による、受動的空気注入を主酸素源として用いる水素水化学システムの概略図である。図２の原子炉容器２００、タービン／復水器２０２、再結合器２０４、水素注入装置２０６、ガス供給源２１０、モニタ２１２、受動的空気注入モジュール２１４、及び主制御装置２１６は、図１の原子炉容器１００、タービン／復水器１０２、再結合器１０４、水素注入装置１０６、ガス供給源１１０、モニタ１１２、受動的空気注入モジュール１１４、及び主制御装置１１６に対応する。このため、説明を簡潔にする目的で、既に説明した構成要素に対応する構成要素の説明を以下で繰り返すことはない。図２は、主に、受動的空気注入モジュール２１４を主酸素源として用いるという点で、図１とは異なる。したがって、図１の酸素注入装置１０８に対応する装置は、図２には存在しない。受動的空気注入モジュール２１４を主酸素源として用いるので、受動的空気注入モジュール２１４を、オフガス管路に一定の受動的空気流を供給することによりオフガスシステムの水素濃度を制御するように構成できる。
【００２４】
図３は、本発明の実施例による受動的空気注入モジュールの線図である。図３を参照すると、受動的空気注入モジュール３００は、オフガスシステムへと繋がる注入管路に、冗長弁（リダンダント弁：redundant valves）を介して周囲空気を導くように構成される。周囲空気の注入ポイントは、再結合器よりも上流にある。受動的空気注入モジュール３００は、例えば、１つ以上の空気フィルタ３０１、自動隔離弁（ＡＯＶ）３０２、弁位置スイッチ３０３、ソレノイド弁（ＳＯＶ）３０４、手動隔離弁３０５、圧力送信器３０６、臨界流オリフィス（ＣＦＯ）３０７、局所圧力計３０８、導管、コントロールパネル３１０を含む。圧力送信器３０６及び弁位置スイッチ３０３は、コントロールパネル３１０に信号を送る。
【００２５】
１つ以上の空気フィルタ３０１（例えば、図４に４０１として示す各々の冗長空気供給部に１つずつ、の２つ）で、オフガス清浄度に関する発電所規定を満たすように、周囲空気を濾過できる。自動隔離弁３０２は、オフガスへの空気注入が必要なときに開弁する。自動隔離弁３０２は、遠隔操作式、エアツゥクローズ式、及び／又はスプリングツゥオープン式であってよい。弁位置スイッチ３０３は、開弁位置又は閉弁位置を示すために、弁アセンブリのそれぞれに取り付けられている。弁位置は、コントロールパネル３１０に表示される。自動隔離弁３０２は、停止、リセット、及び起動ロジックにより、ソレノイド弁３０４を介して自動的に制御される。代替的に、自動隔離弁３０２を、コントロールパネル３１０から手動で操作してもよい。
【００２６】
手動隔離弁３０５は、隔離及び保修のために受動的空気注入モジュール３００用に設けられる。圧力送信器３０６は、管路空気圧を示す信号をコントロールパネル３１０に供給する。圧力送信器３０６は、通常、臨界流オリフィス３０７を介して復水器の真空に暴露される。圧力送信器３０６における圧力上昇は、少なくとも１つの自動隔離弁３０２が開弁し、流れが生じたことを示す。
【００２７】
臨界流オリフィス３０７は、空気注入にあたり所望の空気流を得るために、周囲圧力、インライン構成要素、及びオフガス注入ポイント圧力に基づいて寸法決めされる。万が一圧力送信器３０６が動作不能の場合には、局所圧力計３０８が代わりに空気流情報を示す圧力指示器として機能する。
【００２８】
自動隔離弁３０２の操作にあたり、コントロールパネル３１０の遠隔弁制御スイッチを用いて、閉弁又は許容開弁（自動）設定を選択できる。閉弁位置では、ソレノイド弁３０４は付勢状態に、自動隔離弁３０２は閉弁状態に維持される。自動位置では、自動隔離弁３０２は、ロジックが自動隔離弁３０２を開弁させる信号を送るまで、閉じたままになる。受動的空気注入モジュール３００が複数の遠隔弁３０２を含み、これらの弁の制御スイッチをコントロールパネル３１０に含む場合は、装置を起動させるにあたり、少なくとも１つの弁制御スイッチが「ＡＵＴＯ」になっている必要がある。例えば、受動的空気注入モジュール３００を予備酸素源として用いる場合、システムの動作時に全ての弁制御スイッチが「ＣＬＯＳＥ」位置にあるとき、警報が作動する。その一方、受動的空気注入モジュール３００を主酸素源として用いる場合は、開弁している自動隔離弁３０２が皆無であれば装置は停止する。
【００２９】
受動的空気注入モジュール３００は、万が一、水素注入中に酸素注入装置が故障して適正に酸素を注入できない場合に、予備酸素源として酸素注入を引き継ぐように意図されている。モジュール３００からの受動的空気流は、再結合器の下流においてオフガス水素濃度が高くなること、オフガス酸素濃度が高くなることの両方を阻止するように設計される。様々な非限定的状況を上述したが、発電所に特有の様々な条件に基づいて、モジュール３００からの受動的空気流が自動的に生じるように設計できることを理解されたい。
【００３０】
図４は、本発明の実施例による受動的空気注入モジュールのレイアウト図である。図４の空気フィルタ４０１、自動隔離弁（ＡＯＶ）４０２、弁位置スイッチ４０３、ソレノイド弁（ＳＯＶ）４０４、手動隔離弁４０５、圧力送信器４０６、臨界流オリフィス（ＣＦＯ）４０７、及び圧力計４０８は、図３の空気フィルタ３０１、自動隔離弁（ＡＯＶ）３０２、弁位置スイッチ３０３、ソレノイド弁（ＳＯＶ）３０４、手動隔離弁３０５、圧力送信器３０６、臨界流オリフィス（ＣＦＯ）３０７、及び圧力計３０８に対応する。したがって、説明を簡潔にする目的で、既に説明した構成要素に対応する構成要素の説明を以下で繰り返すことはない。
【００３１】
本発明の非限定的な実施例によると、受動的空気注入により原子炉のオフガスシステムの水素濃度を制御することにより、結果的に、従来の圧縮空気システム又は圧縮酸素供給源を酸素源として選択する場合よりも、部品及び保守要件が少なくなる。部品が少なく、保守が削減されるので、信頼性と有用性が高まる。加えて、受動的空気注入を用いることにより、水素水化学システム（使用する場合）の専用／特別の空気供給システム又は酸素供給源が不要になるので、余分な設備システムインターフェースをなくすことができる。本発明の非限定的な実施例による空気注入モジュールは、既存の主復水器真空を動力として利用する受動的なシステムなので、エネルギーを殆ど又は全く必要としない。受動的空気注入モジュールは、主空気源として、或いは、既存の酸素源が万が一動作不能となった場合の予備空気源として利用可能である。
【００３２】
本明細書では多数の実施例を開示したが、それ以外の改変形態も可能であることを理解されたい。このような改変形態は、本開示の技術的範囲から逸脱しておらず、当業者に想到可能なこのような改変形態は全て、添付の特許請求の範囲に含まれるものとする。
【符号の説明】
【００３３】
１００、２００  原子炉容器
１０２、２０２  タービン／復水器
１０４、２０４  再結合器
１０６、２０６  水素注入装置
１０８  酸素注入装置
１１０、２１０  ガス供給源
１１２、２１２  モニタ
１１４、２１４  受動的空気注入モジュール
１１６、２１６  主制御装置
３００  受動的空気注入モジュール
３０１、４０１  空気フィルタ
３０２、４０２  自動隔離弁
３０３、４０３  弁位置スイッチ
３０４、４０４  ソレノイド弁
３０５、４０５  手動隔離弁
３０６、４０６  圧力送信器
３０７、４０７  臨界流オリフィス
３０８、４０８  圧力計
３１０  コントロールパネル
【図１】
0005608068.tif 000002
【図２】
0005608068.tif 000003
【図３】
0005608068.tif 000004
【図４】
0005608068.tif 000005